(57)【要約】【課題】タイヤの生産性の向上に貢献できる、ビードコア保管装置１２の提供。【解決手段】このビードコア保管装置１２は、ビードコアＢの止めゴムＧを上側にしてビードコアＢが吊り下げられる、串部材１４と、串部材１４に吊り下げられたビードコアＢの止めゴムＧの位置をずらす、位置ずらしモジュール２４と、を備える。位置ずらしモジュール２４は、ビードコアＢの内周面ＥＢと当接し、ビードコアＢを回転させる、回転棒４８を備える。【選択図】図６
2020124859.tif 000002
【特許請求の範囲】
【請求項１】
螺旋状に巻かれたワイヤを含むコア本体と、前記コア本体の周方向の一部を前記ワイヤの端部と共に覆う止めゴムとを有する、リング状のビードコアを保管するためのビードコア保管装置であって、
前記止めゴムを上側にして前記ビードコアが吊り下げられる、串部材と、
前記串部材に吊り下げられたビードコアの止めゴムの位置をずらす、位置ずらしモジュールと、を備え、
前記位置ずらしモジュールが、前記ビードコアの内周面と当接し、当該ビードコアを回転させる、回転棒を備える、ビードコア保管装置。
【請求項２】
前記位置ずらしモジュールが、前記回転棒を上昇及び下降させる昇降ユニットを備え、
前記回転棒を上昇させることにより、前記串部材に吊り下げられたビードコアが当該回転棒で支持されるとともに前記串部材から離され、
前記回転棒を下降させることにより、前記串部材から離されたビードコアが当該串部材に再び吊り下げられる、請求項１に記載のビードコア保管装置。
【請求項３】
前記位置ずらしモジュールが、前記回転棒を前進及び後退させる移動ユニットを備え、
前記回転棒を前進させることにより、前記ビードコアの内側に当該回転棒が通され、
前記回転棒を後退させることにより、前記ビードコアの内側に通された回転棒が当該ビードコアから引き抜かれる、請求項１又は２に記載のビードコア保管装置。
【発明の詳細な説明】
【技術分野】
【０００１】
本発明は、ビードコア保管装置に関する。
【背景技術】
【０００２】
タイヤのビードは、リング状のビードコアと、このビードコアから径方向外向きに延びるビードエイペックスとを備える。このビードは、例えば、下記の特許文献１に開示された製造装置を用いて製造される。
【０００３】
ビードの製造では、金属製のワイヤを螺旋状に巻いてコア本体が得られる。コア本体はワイヤの端部を含むので、ワイヤの束がばらけることがないよう、この端部がコア本体の周方向の一部とともに止めゴムで拘束される。これにより、コア本体と止めゴムとを有するビードコアが得られる。このビードコアにビードエイペックスを組み合わせてビードが得られる。
【０００４】
ビードの製造では、ビードエイペックスと組み合わされるまで、ビードコアはビードコア保管装置において保管される。
【０００５】
図８には、従来のビードコア保管装置２が示される。このビードコア保管装置２は、前後方向に延びる串部材４を備える。ビードコアＢは、この串部材４に吊り下げられる。ビードコアＢ同士の密着を防止するために、一のビードコアＢと他のビードコアＢとの間には、スペーサーＳが挿入される。
【先行技術文献】
【特許文献】
【０００６】
【特許文献１】特開２０１６−１７９５６５号公報
【発明の概要】
【発明が解決しようとする課題】
【０００７】
図８に示されるように、串部材４の上側部分では、ビードコアＢの内周面ＥＢはスペーサーＳの内周縁ＥＳよりも内側に位置する。ビードコアＢにおいて止めゴムＧの部分は、他の部分よりも太い。このため、止めゴムＧの部分を上側にしてビードコアＢを串部材４に吊り下げると、止めゴムＧの一部がスペーサーＳの内周縁ＥＳからはみ出し、止めゴムＧ同士が密着する恐れがある。
【０００８】
止めゴムＧ同士の密着は、タイヤの生産性に影響する。そこで、生産性の向上の観点から、ビードコアＢの保管時における止めゴムＧ同士の密着を防止できる技術の確立が求められている。
【０００９】
本発明は、このような実状に鑑みてなされたものであり、タイヤの生産性の向上に貢献できる、ビードコア保管装置を提供することを目的としている。
【課題を解決するための手段】
【００１０】
本発明の一態様に係るビードコア保管装置は、螺旋状に巻かれたワイヤを含むコア本体と、前記コア本体の周方向の一部を前記ワイヤの端部と共に覆う止めゴムとを有する、リング状のビードコアを保管するためのビードコア保管装置である。このビードコア保管装置は、前記止めゴムを上側にして前記ビードコアが吊り下げられる、串部材と、前記串部材に吊り下げられたビードコアの止めゴムの位置をずらす、位置ずらしモジュールと、を備える。前記位置ずらしモジュールは、前記ビードコアの内周面と当接し、当該ビードコアを回転させる、回転棒を備える。
【００１１】
好ましくは、このビードコア保管装置では、前記位置ずらしモジュールは前記回転棒を上昇及び下降させる昇降ユニットを備える。前記回転棒を上昇させることにより、前記串部材に吊り下げられたビードコアは当該回転棒で支持されるとともに前記串部材から離される。前記回転棒を下降させることにより、前記串部材から離されたビードコアは当該串部材に再び吊り下げられる。
【００１２】
好ましくは、このビードコア保管装置では、前記位置ずらしモジュールは前記回転棒を前進及び後退させる移動ユニットを備える。前記回転棒を前進させることにより、前記ビードコアの内側に当該回転棒が通される。前記回転棒を後退させることにより、前記ビードコアの内側に通された回転棒が当該ビードコアから引き抜かれる。
【発明の効果】
【００１３】
本発明のビードコア保管装置では、止めゴム同士の密着が防止される。このビードコア保管装置は、タイヤの生産性の向上に貢献できる。
【図面の簡単な説明】
【００１４】
【図１】図１は、本発明の一実施形態に係るビードコア保管装置の一例が示された正面図である。
【図２】図２は、図１に示されたビードコア保管装置の側面図である。
【図３】図３は、ビードコア保管装置の串部材にスペーサー及びビードコアを吊り下げている状態を説明する説明図である。
【図４】図４は、ビードコア保管装置の位置ずらしモジュールの動作を説明する説明図である。
【図５】図５は、ビードコア保管装置の位置ずらしモジュールの動作を説明する説明図である。
【図６】図６は、位置ずらしモジュールの回転棒の動作を説明する説明図である。
【図７】図７は、回転後のビードコアにおける止めゴムとスペーサーとの位置関係を説明する説明図である。
【図８】図８は、従来のビードコア保管装置の串部材にスペーサー及びビードコアが吊り下げられている状態を説明する説明図である。
【発明を実施するための形態】
【００１５】
以下、適宜図面が参照されつつ、好ましい実施形態に基づいて、本発明が詳細に説明される。
【００１６】
［ビードコア保管装置］
図１及び図２は、本発明の一実施形態に係るビードコア保管装置１２を示す。図１はビードコア保管装置１２の正面図であり、図２はビードコア保管装置１２の側面図である。
【００１７】
図１において、左右方向はビードコア保管装置１２の幅方向である。図２において、左右方向はビードコア保管装置１２の前後方向である。図１及び図２において、紙面の上側がこのビードコア保管装置１２の上側であり、この紙面の下側がこのビードコア保管装置１２の下側である。
【００１８】
ビードコア保管装置１２は、リング状のビードコアＢを保管するために用いられる。ビードコアＢは、タイヤの部品である。ビードコアＢは、タイヤのビードの一部をなす。
【００１９】
ビードコアＢは、コア本体Ｃと、止めゴムＧとを有する。コア本体Ｃは、螺旋状に巻かれたワイヤを含む。ワイヤは、金属製、具体的にはスチール製である。止めゴムＧは、コア本体Ｃの周方向の一部をワイヤの端部と共に覆う。止めゴムＧは、未架橋状態のゴム組成物からなる。
【００２０】
ビードコアＢには、ビードエイペックスが組み合わされる。これにより、ビードが形成される。タイヤの製造では、このビードが他の部材と組み合わされ、生タイヤが準備される。この生タイヤをモールド内で加圧及び加熱することにより、タイヤが得られる。
【００２１】
［串部材］
ビードコア保管装置１２は、串部材１４を備える。串部材１４には、ビードコアＢが吊り下げられる。図２に示されるように、ビードコアＢ同士の密着防止の観点から、一のビードコアＢとこの一のビードコアＢの隣に位置する他のビードコアＢとの間には、スペーサーＳが挿入される。
【００２２】
図３（ａ）に示されるように、ビードコア保管装置１２には、コア製造装置（図示されず）において製造されたビードコアＢがコア搬送装置１６により搬送される、このコア搬送装置１６は、串部材１４に先に吊り下げられていたスペーサーＳ及びビードコアＢを後方に移動させるとともに、ビードコアＢを串部材１４に吊り下げる。そして、図３（ｂ）に示されるように、スペーサー供給装置１８によりスペーサーＳがビードコア保管装置１２に供給され、このスペーサーＳが串部材１４に吊り下げられる。このようにして、串部材１４には、ビードコアＢとスペーサーＳとが交互に吊り下げられる。これにより、ビードコアＢとスペーサーＳとが前後方向に交互に並べられる。
【００２３】
このビードコア保管装置１２では、ビードコアＢ及びスペーサーＳを吊り下げることができれば、串部材１４の構成に特に制限はない。このビードコア保管装置１２では、ビードコアＢ及びスペーサーＳを安定に保持する観点から、串部材１４のうち、ビードコアＢ及びスペーサーＳを吊り下げる部分は、幅方向に並列した一対のバー２０により構成される。これらバー２０は、ビードコア保管装置１２のフレーム２２に支持されるとともに、前後方向に延びる。
【００２４】
［位置ずらしモジュール］
ビードコア保管装置１２は、位置ずらしモジュール２４を備える。後述するが、このビードコア保管装置１２では、この位置ずらしモジュール２４により、串部材１４に吊り下げられたビードコアＢの止めゴムＧの位置がずらされる。
【００２５】
この位置ずらしモジュール２４は、移動ユニット２６と、昇降ユニット２８と、回転ユニット３０とを備える。
【００２６】
このビードコア保管装置１２では、移動ユニット２６は、第一移動ユニット２６ａと第二移動ユニット２６ｂとにより構成される。昇降ユニット２８は、第一移動ユニット２６ａと第二移動ユニット２６ｂとの間に設けられる。回転ユニット３０は、第二移動ユニット２６ｂに取り付けられる。
【００２７】
第一移動ユニット２６ａは、ビードコア保管装置１２のフレーム２２に固定される本体部３２（以下、第一本体部３２ａとも称される。）と、第一本体部３２ａに対して移動可能に支持されるテーブル部３４（以下、第一テーブル部３４ａとも称される。）と、を備える。このビードコア保管装置１２において第一テーブル部３４ａは、前後に移動可能である。
【００２８】
このビードコア保管装置１２では、第一テーブル部３４ａが前後に移動可能に構成されるのであれば、第一移動ユニット２６ａの構成に特に制限はない。このビードコア保管装置１２では、第一移動ユニット２６ａとして、市販のリニアモーションガイドが適用される。この第一移動ユニット２６ａでは、圧縮空気による第一本体部３２ａ内の圧力のコントロールにより、第一テーブル部３４ａが第一本体部３２ａに対して動かされる。
【００２９】
昇降ユニット２８は、第一移動ユニット２６ａの第一テーブル部３４ａに固定される第一サブフレーム３６ａに取り付けられる。これにより、昇降ユニット２８が第一移動ユニット２６ａに支持される。
【００３０】
昇降ユニット２８は、第一サブフレーム３６ａに固定されるシリンダ部３８と、このシリンダ部３８に対して移動可能に支持されるロッド部４０とを備える。このビードコア保管装置１２においてロッド部４０は、上下に移動可能である。
【００３１】
このビードコア保管装置１２では、ロッド部４０が上下に移動可能に構成されるのであれば、昇降ユニット２８の構成に特に制限はない。このビードコア保管装置１２では、昇降ユニット２８として、市販のエアシリンダが適用される。この昇降ユニット２８では、ロッド部４０はメインロッド４２と、一対のガイドロッド４４とを備える。圧縮空気によるシリンダ部３８内の圧力のコントロールにより、メインロッド４２がこのシリンダ部３８に対して動かされる。メインロッド４２の両側に位置するガイドロッド４４は、上下に動くメインロッド４２をガイドする。
【００３２】
第二移動ユニット２６ｂは、昇降ユニット２８のロッド部４０に接続プレート４６を介して固定される本体部３２（以下、第二本体部３２ｂとも称される。）と、第二本体部３２ｂに対して移動可能に支持されるテーブル部３４（以下、第二テーブル部３４ｂとも称される。）と、を備える。このビードコア保管装置１２において第二テーブル部３４ｂは、前後に移動可能である。
【００３３】
このビードコア保管装置１２では、第二テーブル部３４ｂが前後に移動可能に構成されるのであれば、第二移動ユニット２６ｂの構成に特に制限はない。このビードコア保管装置１２では、第二移動ユニット２６ｂとして、市販のリニアモーションガイドが適用される。この第二移動ユニット２６ｂでは、圧縮空気による第二本体部３２ｂ内の圧力のコントロールにより、第二テーブル部３４ｂが第二本体部３２ｂに対して動かされる。
【００３４】
回転ユニット３０は、第二移動ユニット２６ｂの第二テーブル部３４ｂに固定される第二サブフレーム３６ｂに取り付けられる。これにより、回転ユニット３０は第二移動ユニット２６ｂに支持される。
【００３５】
このビードコア保管装置１２では、回転ユニット３０は、回転棒４８と、原動機５０と、伝動具５２とを備える。
【００３６】
回転棒４８は丸棒である。回転棒４８は前後方向に延びる。回転棒４８は、軸受け（図示されず）を介して回転可能に第二サブフレーム３６ｂに支持される。図２において、一点鎖線ＲＬは回転棒４８の中心軸である。この回転ユニット３０は、回転棒４８が中心軸ＲＬを中心に回転するように構成されている。
【００３７】
原動機５０は、第二サブフレーム３６ｂに固定される。この原動機５０は、回転棒４８を回転させるためのトルクを発生する。この回転ユニット３０では、原動機５０が駆動することにより回転棒４８が回転する。このビードコア保管装置１２では、原動機５０はモーターである。
【００３８】
伝動具５２は、回転棒４８と原動機５０との間に位置する。伝動具５２は、原動機５０が発生するトルクを回転棒４８に伝動する。この伝動具５２には、プーリーによる伝動機構が採用されている。歯車等による伝動機構が、この伝動具５２に採用されてもよい。
【００３９】
このビードコア保管装置１２では、幅方向に並列した一対の回転棒４８が回転ユニット３０に設けられる。この回転ユニット３０は、原動機５０の駆動により、左右の回転棒４８が同じ回転速度で同じ回転方向に回転するように構成されている。
【００４０】
［ビードコア保管装置１２の動作］
次に、図４から図６に基づいて、ビードコア保管装置１２における位置ずらしモジュール２４の動作を説明する。なお、説明の便宜を図るため、串部材１４に吊り下げられるスペーサーＳは図示していない。さらにこれらの図に示されるビードコアＢの本数は一本としている。このビードコアＢは、コア搬送装置１６によって搬送され、串部材１４に吊り下げられた直後のビードコアＢである。このビードコアＢは、止めゴムＧの部分を上側にして串部材１４に吊り下げられている。
【００４１】
コア搬送装置１６がビードコアＢを搬送してくると、図４に示されるように、第一移動ユニット２６ａの第一テーブル部３４ａが前進し、第二移動ユニット２６ｂの第二テーブル部３４ｂが前進する。第一テーブル部３４ａには昇降ユニット２８が取り付けられ、この昇降ユニット２８には第二移動ユニット２６ｂが取り付けられ、さらに第二移動ユニット２６ｂの第二テーブル部３４ｂには回転ユニット３０が取り付けられ、そして回転ユニット３０は回転棒４８を備えるので、第一テーブル部３４ａ及び第二テーブル部３４ｂの前進により、回転棒４８が前進する。図示されないが、第一テーブル部３４ａ及び第二テーブル部３４ｂが後退することにより、回転棒４８が後退する。このビードコア保管装置１２では、第一移動ユニット２６ａ及び第二移動ユニット２６ｂ、すなわち移動ユニット２６は回転棒４８を前進及び後退させる。
【００４２】
このビードコア保管装置１２では、回転棒４８を前進させることにより、ビードコアＢの内側に回転棒４８が通される。このビードコア保管装置１２では、前進した回転棒４８が串部材１４に吊り下げられたビードコアＢの内側に通されるのであれば、回転棒４８を前進させた後にビードコアＢが串部材１４に吊り下げられてもよく、ビードコアＢが串部材１４に吊り下げられた後に回転棒４８が前進させられてもよい。図４に示されたビードコア保管装置１２においては、回転棒４８は前進しきった状態ある。
【００４３】
図４に示されるように、回転棒４８が前進しきった状態において、前後方向における、回転棒４８の位置とビードコアＢの位置とは重複する。このビードコア保管装置１２では、回転棒４８が前進しきった状態において、ビードコアＢが回転棒４８の中心付近に位置するように、回転棒４８の位置がコントロールされる。
【００４４】
このビードコア保管装置１２では、ビードコアＢの内側に回転棒４８が通されると、図５に示されるように、昇降ユニット２８のロッド部４０が上昇する。前述したように、このロッド部４０には第二移動ユニット２６ｂの第二本体部３２ｂが固定され、この第二移動ユニット２６ｂの第二テーブル部３４ｂには回転ユニット３０が固定され、そして、この回転ユニット３０は回転棒４８を備える。このため、ロッド部４０を上昇させることにより、回転棒４８が上昇する。図示されないが、ロッド部４０を下降させることにより、回転棒４８が下降する。このビードコア保管装置１２では、昇降ユニット２８は回転棒４８を上昇及び下降させる。
【００４５】
図６（ａ）は、串部材１４に吊り下げられたビードコアＢの内側に回転棒４８が通された状態を示す。串部材１４に吊り下げられたビードコアＢの内側に回転棒４８が通されると、図６（ｂ）に示されるように、この回転棒４８は上昇させられる。このビードコア保管装置１２では、回転棒４８を上昇させることにより、ビードコアＢは回転棒４８に支持される。そして、この回転棒４８がビードコアＢを持ち上げ、ビードコアＢが串部材１４から離される。
【００４６】
このビードコア保管装置１２では、ビードコアＢの内側に回転棒４８が通されると、回転棒４８が回転させられる。ビードコアＢを支持した状態にある回転棒４８はビードコアＢの内周面ＥＢと当接しているので、図６（ｂ）に示されるように、この回転棒４８の回転より、ビードコアＢの位置、具体的には、止めゴムＧの位置がこの回転棒４８の回転方向にずらされる。
【００４７】
このビードコア保管装置１２では、止めゴムＧが所定距離動かされると、昇降ユニット２８のロッド部４０が下降させられる。これにより、図６（ｃ）に示されるように、回転棒４８が下降し、串部材１４から離されたビードコアＢが再び串部材１４に吊り下げられる。このビードコア保管装置１２では、回転棒４８を下降させることにより、串部材１４から離されたビードコアＢが再び串部材１４に吊り下げられる。
【００４８】
図示されないが、このビードコア保管装置１２では、回転棒４８の下降によりビードコアＢが再び串部材１４に吊り下げられると、移動ユニット２６により回転棒４８が後退させられる。この回転棒４８の後退により、ビードコアＢの内側に通された回転棒４８がこのビードコアＢの内側から引き抜かれる。このビードコア保管装置１２では、回転棒４８を後退させることにより、ビードコアＢの内側に通された回転棒４８がこのビードコアＢの内側から引き抜かれる。
【００４９】
以上説明したように、このビードコア保管装置１２では、位置ずらしモジュール２４の回転棒４８が、串部材１４に吊り下げられたビードコアＢの内周面ＥＢと当接し、このビードコアＢを回転させる。この位置ずらしモジュール２４は、ビードコアＢの内周面ＥＢと当接し、このビードコアＢを回転させる、回転棒４８を備える。このため、図７に示されるように、コア搬送装置１６によって串部材１４に吊り下げた直後において上側に位置していた止めゴムＧの位置がずらされる。この位置ずらしモジュール２４は、串部材１４に吊り下げられたビードコアＢの止めゴムＧの位置をずらす。
【００５０】
このビードコア保管装置１２では、止めゴムＧの移動距離は、ビードコアＢに回転棒４８が接触している時間、そして、回転棒４８の回転速度の調整により、容易にコントロールできる。このため、このビードコア保管装置１２は、ビードコアＢの止めゴムＧを、スペーサーＳがビードコアＢの内周面ＥＢから内側に突出している部分に意図的に配置させることができる。止めゴムＧ全体がスペーサーＳの内周縁ＥＳよりも内側に位置するように止めゴムＧを配置できるので、このビードコア保管装置１２では、ビードコアＢの保管時における止めゴムＧ同士の密着が防止される。このビードコア保管装置１２は、タイヤの生産性の向上に貢献できる。
【００５１】
前述したように、このビードコア保管装置１２の位置ずらしモジュール２４は幅方向に並列した一対の回転棒４８を備える。このビードコア保管装置１２では、これら回転棒４８は、幅方向において、串部材１４をなす一対のバー２０の内側に配置されてもよく、この一対のバー２０の外側に配置されてもよい。ビードコアＢを安定に支持しつつこのビードコアＢを安定に回転させることができる観点から、例えば、図７に示されるようにビードコア保管装置１２の幅方向において、一対のバー２０の外側に回転棒４８が配置されるのが好ましい。
【００５２】
以上説明したように、本発明によれば、ビードコアＢの保管時における止めゴムＧ同士の密着を防止し、タイヤの生産性の向上に貢献できる、ビードコア保管装置１２が得られる。
【００５３】
今回開示した実施形態はすべての点で例示であって制限的なものではない。本発明の技術的範囲は前述の実施形態に限定されるものではなく、この技術的範囲には特許請求の範囲に記載された構成と均等の範囲内でのすべての変更が含まれる。
【産業上の利用可能性】
【００５４】
以上説明されたビードコア保管装置は、ビードコアにビードエイペックスを組み合わせて構成されたビードの保管装置としても適用できる。
【符号の説明】
【００５５】
２、１２・・・ビードコア保管装置
４、１４・・・串部材
１６・・・コア搬送装置
１８・・・スペーサー供給装置
２４・・・位置ずらしモジュール
２６・・・移動ユニット
２８・・・昇降ユニット
３０・・・回転ユニット
３２・・・移動ユニット２６の本体部
３４・・・移動ユニット２６のテーブル部
３８・・・昇降ユニット２８のシリンダ部
４０・・・昇降ユニット２８のロッド部
４８・・・回転棒
５０・・・原動機
５２・・・伝動具
【図１】
2020124859.tif 000003
【図２】
2020124859.tif 000004
【図３】
2020124859.tif 000005
【図４】
2020124859.tif 000006
【図５】
2020124859.tif 000007
【図６】
2020124859.tif 000008
【図７】
2020124859.tif 000009
【図８】
2020124859.tif 000010